(57)【要約】無線通信システムにおいてシステム全体の劣化率を小さくするチルト角を得られるチルト角決定方法、およびシステムを提供することにある。チルト角の初期値を設定するステップと、チルト角が初期値での劣化率を計算するステップと、チルト角を小さくするアンテナを選出するステップと、選出したアンテナのチルト角を小さくするステップと、チルト角を小さくしたときの劣化率を計算するステップと、それら一連のチルト角を小さくする処理を繰り返し、繰り返しの継続判定をするステップと、同様にチルト角を繰り返し大きくする処理を有する。さらに、劣化率が小さくなるチルト角を出力するステップと、上記、全体を繰り返す処理の終了を判定するステップとを有する。このように定められた処理によって、チルト角の初期値と比べてシステム全体の劣化率を小さくするチルト角を得ることができる。
2005013632.tif 000002
【特許請求の範囲】
【請求項１】
無線通信システムを構成する複数の無線基地局に設けられた垂直面内指向性を持ったアンテナのチルト角決定方法であって、
チルト角を小さくするべきアンテナを選出する第１のステップと、
前記第１のステップにて選出されたアンテナのチルト角が小さくされたときのシステム全体の劣化率をチルト角を変えて１回以上計算する第２のステップと、
チルト角を大きくするべきアンテナを選出する第３のステップと、
前記第３のステップにて選出されたアンテナのチルト角が大きくされたときのシステム全体の劣化率をチルト角を変えて１回以上計算する第４のステップと、
前記第２のステップにて計算されたシステム全体の劣化率および第４のステップにて計算されたシステム全体の劣化率のうち最小の劣化率に対応するチルト角を出力する第５のステップと、
を有することを特徴とする無線通信システムのアンテナのチルト角決定方法。
【請求項２】
請求項１記載の無線通信システムのアンテナのチルト角決定方法において、
第１のステップおよび第２のステップの後に行なわれ、これらの各ステップでの処理を継続して行なうかの継続判定を行う第６のステップと、
第３のステップおよび第４のステップの後に行なわれ、これらの各ステップでの処理を継続して行なうかの継続判定を行う第７のステップと、
第１のステップないし第７のステップの後に行なわれ、これらの各ステップでの処理を継続して行なうかの継続判定を行う第８のステップと、
を有することを特徴とする無線通信システムのアンテナのチルト角決定方法。
【請求項３】
請求項２に記載の無線通信システムのアンテナのチルト角決定方法において、
第１のステップの直前に行なわれ、第８のステップにて第１のステップないし第７のステップでの処理を継続して行なうと判定された場合には累積継続回数に応じて第２のステップにおいてチルト角を変えるために利用されるステップ角を変更する第９のステップを有することを特徴とする無線通信システムのアンテナのチルト角決定方法。
【請求項４】
請求項２または請求項３に記載の無線通信システムのアンテナのチルト角決定方法において、
第３のステップの直前に行なわれ、第８のステップにて第１のステップないし第７のステップでの処理を継続して行なうと判定された場合には累積継続回数に応じて第４のステップにおいてチルト角を変えるために利用されるステップ角を変更する第１０のステップを有することを特徴とする無線通信システムのアンテナのチルト角決定方法。
【請求項５】
請求項１ないし請求項４のいずれかに記載の無線通信システムのアンテナのチルト角決定方法において、
チルト角を小さくするアンテナを選出する第１のステップ、および、チルト角を大きくするアンテナを選出する第３のステップの一方または両方が、前記アンテナのカバレージの劣化率に基づきアンテナを選出することを特徴とする無線通信システムのアンテナのチルト角決定方法。
【請求項６】
無線通信システムを構成する複数の無線基地局に設けられた垂直面内指向性を持ったアンテナのチルト角決定装置であって、
チルト角を小さくするべきアンテナを選出する第１のアンテナ選出手段と、
チルト角を大きくするべきアンテナを選出する第２のアンテナ選出手段と、
前記第１のアンテナ選出手段または第２のアンテナ選出手段により選出されたアンテナのチルト角変更後のシステム全体の劣化率をチルト角を変えて１回以上計算する劣化率計算手段と、
前記劣化率計算手段により計算された劣化率をそのチルト角とともに記憶するデータ記憶手段と、
前記データ記憶手段に記憶されているチルト角と劣化率のデータのなかからシステム全体の劣化率を最も小さくするチルト角を出力する手段と、
を有することを特徴とする無線通信システムのアンテナのチルト角決定装置。
【請求項７】
請求項６に記載の無線通信システムのアンテナのチルト角決定装置において、
第１のアンテナ選出手段および第２のアンテナ選出手段の一方または両方が、前記アンテナのカバレージの劣化率に基づいてアンテナを選出することを特徴とする無線通信システムのアンテナのチルト角決定装置。
【請求項８】
請求項６または請求項７に記載の無線通信システムのアンテナのチルト角決定装置において、
第１のアンテナ選出手段による動作、第２のアンテナ選出手段による動作、または処理の終了のいずれかを選択する切替情報を出力する処理切替手段と、
前記処理切替手段から出力される切替情報をカウントする切替回数カウンタと、
前記切替回数カウンタでカウントされた切替回数が一定以上となると前記第１のアンテナ選出手段または第２のアンテナ選出により選出されたアンテナのチルト角の更新角度を変更するチルト角更新パラメータ設定手段と、
を有することを特徴とする無線通信システムのアンテナのチルト角決定装置。
【発明の詳細な説明】
【技術分野】
【０００１】  本発明は、複数の基地局を含む無線通信システムに関し、特に、無線通信システム全体の劣化率を小さくするために各基地局に配置されているアンテナのチルト角を決定する際に用いられるアンテナのチルト角決定方法、およびチルト角決定装置に関するものである。
【背景技術】
【０００２】  複数のエリアにわたって分布する固定ユーザや移動体ユーザに無線通信回線を提供する複数の基地局を含む無線通信システムにおいて、無線通信システムを構築する際やすでに存在する無線通信システムに無線局を追加配置するような場合には、高品質な無線通信回線を提供できるように各基地局に配置される垂直面内指向性を持つアンテナのチルト角が決定される。【０００３】  チルト角を決定することは、各基地局に配設されたアンテナのすべてについて行なわれるのではなく、チルト角を予め定められた初期角度から変更することで、より高品質な無線通信回線を提供することに効果的と思われるアンテナについてのみ行なわれる。アンテナの選択および選択したアンテナのチルト角の決定は、担当者により、以下の手順にて行なわれる。【０００４】  まず、伝搬シミュレータにより、チルト角を決定するアンテナが設置されている基地局の位置、標高、建物、地形等の情報に基づき、アンテナから所定の地点までの伝搬ロスを求める。そして、アンテナからの送信電力、アンテナの向き、アンテナの水平面および垂直面内ビームパターン、先に求めた伝搬ロスから、アンテナから送信された信号が所定の地点で受信されるときの受信電力を計算し、また、Ｓ／Ｎ（信号対雑音）比やＳＩＲ（信号電力対干渉比）で示される受信品質を計算する。ここで、所定の値の受信電力や受信品質を満たしていない地点を、「劣化地点」と定義する。【０００５】  上記の計算結果から、各アンテナのカバレージの劣化率を算出する。ここで、各アンテナのカバレージとは、各アンテナからの信号の受信電力が他のどのアンテナからの信号の受信電力よりも大きく、かつ、一定値以上である領域として定義される。無線通信システムがカバーすべきエリアは分割されて無線通信システムを構成する各無線局に割り当てられるが、この割り当てられた領域がカバレージとなり、システム全体のカバレージは、各アンテナのカバレージを合計した領域である。また、劣化率は、指定のカバレージ内における劣化地点の占める割合により定義される。【０００６】  以上の定義のもと、各アンテナのカバレージの劣化率と、システム全体の劣化率とが得られる。伝搬シミュレータに備えられた表示装置には各アンテナのカバレージがその中の劣化地点が判別できるように表示され、アンテナのチルト角を決定する担当者は表示内容からチルト角を変更するアンテナを選択し、そのチルト角を指定する。【０００７】  図５はアンテナのチルト角の調整動作を示す図である。それぞれがビームパターンを有するアンテナ１，２のチルト角を調整することによって、各アンテナのカバレージ内の通信品質を表す劣化率（各アンテナのカバレージの劣化率）Ｘ％やＹ％が改善されるように調整を施すともに、システム全体の劣化率Ｚ％を改善するように調整する。【０００８】  アンテナのチルト角を大きい状態から小さくすることによって、換言するとアンテナの本来のカバレージよりも内側（手前）に送信電力を集中させていた状態からアンテナの本来のカバレージ内に送信電力を行き渡らせることによって、そのアンテナのカバレージ内の受信電力は大きくなる傾向がある。【０００９】  逆に、アンテナのチルト角を小さい状態��ら大きくすることによって、換言すると本来のカバレージ内に十分な送信電力を行き渡らせていた状態からアンテナの本来のカバレージよりも内側（手前）に送信電力を集中させることによって、そのアンテナのカバレージ内の受信電力は小さくなる傾向がある。その結果、そのアンテナの劣化率は大きくなる傾向があるものの、その劣化率が十分小さいカバレージにおいては、チルト角を大きくすることによる劣化率の増加は僅かであることが多い。このとき、隣接するアンテナのカバレージへの干渉電力は小さくなるため、隣接するアンテナのカバレージの劣化率は小さくなることが多い。【００１０】  上記のような一般的な傾向を踏まえ、劣化率が小さくなるように担当者がチルト角を決定していた。【００１１】  アンテナのチルト角の調整について、特許文献１（実開平０２−１３５８８４号公報）にはレーダの空中線によって目標を捜索するときに、捜索距離と設置高さからチルト角を演算する演算器と、演算器出力と空中線から出力されるチルト角信号とを比較してチルト角を制御する比較制御器が開示されている。【００１２】  特許文献２（特開２００２−０９５０４０号公報）には、無線ネットワークを設計・調整する際や動作させる際に、最適化プロセスを利用して動作パラメータを決定することにより、無線ネットワークの設計・調整を容易にすることが記述されており、この動作パラメータの一つとしてアンテナの向きが挙げられている。【００１３】  特許文献３（特開平１１−１６６９６４号公報）には、衛星追尾を行なうためにステップトラック方式でアンテナの角度を補正する際に、補正の初期の段階では大きなステップサイズでアンテナの角度を補正し、その後ステップサイズを徐々に小さくしてアンテナを最適な方向に向ける方法が開示されている。【００１４】  上述した従来技術のうち、特許文献１に記載されている技術はレーダに関するものであり、アンテナが複数設けられる無線通信システムにおいてシステム全体の劣化率を考慮したアンテナのチルト角制御については述べられていない。【００１５】  特許文献２に開示される技術は、無線ネットワークを設計・調整させる際および動作させる際に、最適化プロセスを利用してアンテナの向きを含む動作パラメータを決定すると記述されているが具体的な手法としては単にネットワーク最適化プロセスによるとされているだけであり、その内容が明確ではない。【００１６】  特許文献３に開示される技術は、衛星追尾を行なうためにステップトラック方式でアンテナの角度を補正するものであり、特許文献１と同様に、無線通信システムにおいてシステム全体の劣化率を考慮したアンテナのチルト角制御については述べられていない。【００１７】
【特許文献１】実開平０２−１３５８８４号公報
【特許文献２】特開２００２−０９５０４０号公報
【特許文献３】特開平１１−１６６９６４号公報
【発明の開示】
【発明が解決しようとする課題】
【００１８】  上述したように、無線通信システムにおけるチルト角を変更するアンテナの選出とそのチルト角の決定は、伝搬環境を考慮した担当者により行なわれるが、その結果は担当者の経験により変動するものであり、システム全体の劣化率も異なるものとなり、安定した品質が保たれない。また、多数のアンテナから選出し、角度を決定することは非常に時間のかかる作業であった。【００１９】  また、チルト角の決定において、同じアンテナについてチルト角を変えて伝播シミュレーションを複数回行なうことがあるが、このとき、更新角度を大きくすると、最適値を飛び越えて遠ざかることがあり、反対に小さくすると数多くの更新回数が必要なので、調整する際の更新角度の設定も重要となる。【００２０】  特に、非常に多くのアンテナが配置される大規模な無線通信システムの場合、限られた時間内にて、システム全体の劣化率を十分に小さくするチルト角を得るのは大変困難であった。【００２１】  さらに、あるチルト角のアンテナが隣接するエリアに干渉を与え、他のアンテナの最適なチルト角に影響を与える場合、すなわち、相互に影響を及ぼしあう関係を持つ無線通信システムの場合（例えばＣＤＭＡ（Ｃｏｄｅ  Ｄｉｖｉｓｉｏｎ  Ｍｕｌｔｉｐｌｅ  Ａｃｃｅｓｓ））、チルト角の最適化はさらに困難であった。各アンテナが相互に影響を及ぼしあっているため、１つのアンテナを調整すると、その調整結果が他のアンテナに影響を与え、影響を及ぼされたアンテナの調整がさらに必要となるためである。しかも、必ずしも隣接エリアだけに影響を及ぼすわけではないことが最適化をより一層困難とし、システム全体の劣化率を十分に小さくするチルト角を得ることは非常に難しかった。【００２２】  本発明は、上述したような従来の技術が有する課題に鑑みてなされたものであって、無線通信システムにおいて、システム全体の劣化率を十分に小さくすることができるチルト角決定方法を提供することを目的とする。また、人の違いによらず、同じ無線通信システムであれば、システム全体の劣化率を十分小さくする同一のチルト角が得られるチルト角決定方法を提供することを目的とする。
【課題を解決するための手段】
【００２３】  本発明の無線通信システムのアンテナのチルト角決定方法は、無線通信システムを構成する複数の無線基地局に設けられた垂直面内指向性を持ったアンテナのチルト角決定方法であって、
チルト角を小さくするべきアンテナを選出する第１のステップと、
前記第１のステップにて選出されたアンテナのチルト角が小さくされたときのシステム全体の劣化率をチルト角を変えて１回以上計算する第２のステップと、
チルト角を大きくするべきアンテナを選出する第３のステップと、
前記第３のステップにて選出されたアンテナのチルト角が大きくされたときのシステム全体の劣化率をチルト角を変えて１回以上計算する第４のステップと、
前記第２のステップにて計算されたシステム全体の劣化率および第４のステップにて計算されたシステム全体の劣化率のうちの最小の劣化率に対応するチルト角を出力する第５のステップと、
を有することを特徴とする。【００２４】  この場合、第１のステップおよび第２のステップの後に行なわれ、これらの各ステップでの処理を継続して行なうかの継続判定を行う第６のステップと、
第３のステップおよび第４のステップの後に行なわれ、これらの各ステップでの処理を継続して行なうかの継続判定を行う第７のステップと、
第１のステップないし第７のステップの後に行なわれ、これらの各ステップでの処理を継続して行なうかの継続判定を行う第８のステップと、
を有することとしてもよい。【００２５】  また、第１のステップの直前に行なわれ、第８のステップにて第１のステップないし第７のステップでの処理を継続して行なうと判定された場合には累積継続回数に応じて第２のステップにおいてチルト角を変えるために利用されるステップ角を変更する第９のステップを有することとしてもよい。【００２６】  また、第３のステップの直前に行なわれ、第８のステップにて第１のステップないし第７のステップでの処理を継続して行なうと判定された場合には累積継続回数に応じて第４のステップにおいてチルト角を変えるために利用されるステップ角を変更する第１０のステップを有することとしてもよい。【００２７】  さらに、チルト角を小さくするアンテナを選出する第１のステップ、および、チルト角を大きくするアンテナを選出する第３のステップの一方または両方が、前記アンテナのカバレージの劣化率に基づきアンテナを選出することとしてもよい。【００２８】  本発明の無線通信システムのアンテナのチルト角決定装置は、無線通信システムを構成する複数の無線基地局に設けられた垂直面内指向性を持ったアンテナのチルト角決定装置であって、
チルト角を小さくするべきアンテナを選出する第１のアンテナ選出手段と、
チルト角を大きくするべきアンテナを選出する第２のアンテナ選出手段と、
前記第１のアンテナ選出手段または第２のアンテナ選出手段により選出されたアンテナのチルト角変更後のシステム全体の劣化率をチルト角を変えて１回以上計算する劣化率計算手段と、
前記劣化率計算手段により計算された劣化率をそのチルト角とともに記憶するデータ記憶手段と、
前記データ記憶手段に記憶されているチルト角と劣化率のデータのなかからシステム全体の劣化率を最も小さくするチルト角を出力する手段と、
を有することを特徴とする。【００２９】  この場合、第１のアンテナ選出手段および第２のアンテナ選出手段の一方または両方が、前記アンテナのカバレージの劣化率に基づいてアンテナを選出することとしてもよい。【００３０】  また、第１のアンテナ選出手段による動作、第２のアンテナ選出手段による動作、または処理の終了のいずれかを選択する切替情報を出力する処理切替手段と、
前記処理切替手段から出力される切替情報をカウントする切替回数カウンタと、
前記切替回数カウンタでカウントされた切替回数が一定以上となると前記第１のアンテナ選出手段または第２のアンテナ選出により選出されたアンテナのチルト角の更新角度を変更するチルト角更新パラメータ設定手段と、
を有することとしてもよい。【００３１】  上記のように構成される本発明においては、チルト角を小さくするアンテナの選出とチルト角を大きくするアンテナの選出とが第１のステップと第３のステップとして独立に行なわれ、各アンテナについてチルト角変更後のシステム全体の劣化率が計算され、この計算されたシステム全体の劣化率に基づいてチルト角が求められる。このように、チルト角を調整するアンテナの選出もチルト角の更新を小さくする方向と大きくする方向とに独立に行なわれるので、その選出基準を選択することによりその調整結果が異なるものとなり、自由度の大きなものとなっている。【００３２】  また、１つのアンテナのチルト角を決定した後に再度アンテナを選択してチルト角の設定を行なう場合には、あるチルト角のアンテナが隣接するエリアに干渉を与え、他のアンテナの最適なチルト角に影響を与える無線通信システムであっても、各アンテナのチルト角をシステム全体の劣化率を十分に小さくするものとできる。
【発明の効果】
【００３３】  第１の効果は、チルト角の初期値と比べてシステム全体の劣化率を小さくするチルト角が得られることである。【００３４】  第２の効果は、チルト角決定の自動化によって、同一の初期設定であれば誰でも経験によらない同一の最適なチルト角の結果を得ることができる。【００３５】  第３の効果は、チルト角の決定を、速く正確にすることができることである。
【発明を実施するための最良の形態】
【００３６】  次に本発明の実施の形態について、図面を参照して詳細に説明する。【００３７】  図１は、本発明の第１の実施の形態で行なわれるチルト角決定方法の処理を示すフローチャートである。本実施の形態は、ＣＤＭＡ方式のセルラシステムのような垂直面内指向性を持ったアンテナがそれぞれ設けられた複数の無線基地局により構成される無線通信システムでのアンテナのチルト角を決定するために行われる処理であり、各アンテナの劣化率はシミュレーション機能を備えたシミュレータで計算される。【００３８】  本実施形態における処理は以下に説明するステップＡ０〜Ａ１１から構成される。【００３９】  チルト角の初期値を設定するステップ（ステップＡ０）と、初期値のチルト角での劣化率を計算するステップ（ステップＡ１）と、チルト角を小さくするアンテナを所定の評価指標によって選出するステップ（ステップＡ２）と、選出したアンテナのチルト角を小さくするステップ（ステップＡ３）と、チルト角を小さくしたときの劣化率を計算するステップ（ステップＡ４）と、ステップＡ２〜Ａ４で行なわれるチルト角を繰り返し小さくする処理を繰り返し行なうかの継続判定をするステップ（ステップＡ５）と、チルト角を大きくするアンテナを所定の評価指標によって選出するステップ（ステップＡ６）と、選出したアンテナのチルト角を大きくするステップ（ステップＡ７）と、チルト角を大きくしたときの劣化率を計算するステップ（ステップＡ８）と、ステップＡ６〜Ａ８で行なわれるチルト角を繰り返し大きくする処理を繰り返し行なうかの継続判定をするステップ（ステップＡ９）と、劣化率が小さくなるチルト角を出力するステップ（ステップＡ１０）と、ステップＡ２〜Ａ１０で行なわれる処理を繰り返し行なうかの継続を判定するステップ（ステップＡ１１）とで構成される。【００４０】  本実施形態の動作について、まず、チルト角の初期値を設定するステップ（ステップＡ０）に関して説明する。【００４１】  垂直面内指向性を持ったアンテナを有する複数の無線基地局で構成される無線通信システムにおいて、チルト角の最適化作業が施されていない場合、通常何らかのチルト角の初期値に設定されている。その場合には、ステップＡ０にて、それらのチルト角を初期値として設定する。初期値は任意の角度に設定できるが、初期チルト角が設定されていない場合には、例えば基地局間距離を二等分する地点へアンテナの垂直面内ビームパターンのピークを向けたときの角度としても良い。この後、ステップＡ０にて設定された初期値により、劣化率が計算される（ステップＡ１）。【００４２】  ステップＡ２乃至Ａ５は、上述したように、アンテナのチルト角を大きい状態から小さくすることによって、換言するとアンテナの本来のカバレージよりも内側（手前）に送信電力を集中させていた状態からアンテナの本来のカバレージ内に送信電力を行き渡らせることによって、そのアンテナのカバレージ内の受信電力は大きくなる傾向があるという特性を考慮して行われる。【００４３】  チルト角を小さくするアンテナを選出するステップ（ステップＡ２）について説明する。このステップでは所定の評価指標によってチルト角を小さくすべき対象のアンテナを選出��る。【００４４】  所定の評価指標にはいくつかのものがあるが、ここでは例として、所定の評価指標に、このステップＡ２が処理される時点のチルト角の、個々のアンテナのカバレージの劣化率を用いる。さらにその評価指標はカバレージの重要度で重み付けしても良い。【００４５】  そして、「アンテナのカバレージの劣化率が所定値以上のアンテナ」を、チルト角を小さくすべきアンテナとして選出する。または「アンテナのカバレージの劣化率において大きい順で上位いくつかのアンテナ」を、チルト角を小さくすべき対象のアンテナとして選出する方法をとる。【００４６】  次に、チルト角を小さくするステップ（ステップＡ３）について説明する。このステップでは、ステップＡ２にて選出された１又は２以上のアンテナのチルト角を小さく設定する。小さくする際の、チルト角の更新角度は一定角度とする（例えば１度）。【００４７】  次に、劣化率を計算するステップ（ステップＡ４）について説明する。このステップでは、ステップＡ３にてアンテナのチルト角が小さくされた後のアンテナのカバレージの劣化率とシステム全体の劣化率を計算する。【００４８】  次に、チルト角を小さくする処理の継続判定ステップ（ステップＡ５）について説明する。このステップでは、ステップＡ２、Ａ３、Ａ４の一連の処理を繰り返すか否かの判定をする。判定指標としては、ステップＡ４で得られたシステム全体の劣化率が予め決めた所定の劣化率以上であればステップＡ２、Ａ３、Ａ４の繰り返しを継続し、所定の「システム全体の劣化率」未満であればステップＡ２、Ａ３、Ａ４の繰り返しを終了して次の処理へ移る。【００４９】  ステップＡ２、Ａ３、Ａ４による処理はステップＡ２にて選出されたアンテナの全てについて行なわれるので、「アンテナのカバレージの劣化率が所定値以上のアンテナ」または「アンテナのカバレージの劣化率において大きい順で上位いくつかのアンテナ」のチルト角を更新した後の「システム全体の劣化率」が所定値未満となるまで、ステップＡ２、Ａ３、Ａ４の処理は繰り返される。【００５０】  なお、ステップＡ５における判定指標をステップＡ２、Ａ３、Ａ４を繰り返した回数を併用するとしてもよい。ステップＡ４で得られたシステム全体の劣化率が所定の劣化率以上であっても、所定の繰り返し回数以上であれば終了とすることにより、ステップＡ２、Ａ３、Ａ４の繰り返しによる処理時間を制限することができる。【００５１】  ステップＡ６乃至Ａ９は、上述したように、アンテナのチルト角を小さい状態から大きくすることによって、換言すると本来のカバレージ内に十分な送信電力を行き渡らせていた状態からアンテナの本来のカバレージよりも内側（手前）に送信電力を集中させることによって、そのアンテナのカバレージ内の送信電力は小さくなる傾向がある。その結果、そのアンテナの劣化率は大きくなる傾向があるものの、その劣化率が十分小さいカバレージにおいては、チルト角を大きくすることによる劣化率の増加は僅かであることが多い。このとき、隣接するアンテナのカバレージへの干渉電力は小さくなるため、隣接するアンテナのカバレージの劣化率は小さくなることが多いという性質を考慮して行われる。【００５２】  チルト角��大きくするアンテナを選出するステップ（ステップＡ６）と、チルト角を大きくするステップ（ステップＡ７）と、チルト角を大きくした各アンテナのカバレージの劣化率とシステム全体の劣化率を計算するステップ（ステップＡ８）と、ステップＡ６、Ａ７、Ａ８の処理を繰り返す処理と、その繰り返し処理の継続判定ステップ（ステップＡ９）は、上述のステップＡ２、Ａ３、Ａ４、Ａ５と、チルト角の更新の方向（大きくするか小さくするか）の違いのみで、処理自体は同じである。ただし、チルト角を更新するアンテナを選出する際の評価指標や、チルト角を更新する所定の一定角度などはチルト角を小さくする処理とは、独立に設定されるものとする。【００５３】  例えば、チルト角を更新するアンテナを選出する際の評価指標としては、このステップＡ６が処理される時点のチルト角での、個々のアンテナのカバレージの劣化率を用いる。さらにその評価指標はカバレージの重要度で重み付けしても良い。【００５４】  そして、「アンテナのカバレージの劣化率が所定値以下のアンテナ」を、チルト角を大きくすべきアンテナとして選出する。または「アンテナのカバレージの劣化率において小さい順で上位いくつかのアンテナ」を、チルト角を大きくすべき対象のアンテナとして選出する方法をとる。【００５５】  チルト角を大きくするアンテナを選出するステップ（ステップＡ６）について説明する。このステップでは所定の評価指標によってチルト角を大きくすべき対象のアンテナを選出する。【００５６】  所定の評価指標にはいくつかのものがあるが、ここでは例として、所定の評価指標に、このステップＡ６が処理される時点のチルト角の、個々のアンテナのカバレージの劣化率を用いる。さらにその評価指標はカバレージの重要度で重み付けしても良い。【００５７】  そして、「アンテナのカバレージの劣化率が所定値以下のアンテナ」を、チルト角を大きくすべきアンテナとして選出する。または「アンテナのカバレージの劣化率において小さい順で上位いくつかのアンテナ」を、チルト角を大きくすべき対象のアンテナとして選出する方法をとる。【００５８】  次に、チルト角を大きくするステップ（ステップＡ７）について説明する。このステップでは、ステップＡ６にて選出された１又は２以上のアンテナのチルト角を大きく設定する。大きくする際の、チルト角の更新角度は一定角度とする（例えば１度）。【００５９】  次に、劣化率を計算するステップ（ステップＡ８）について説明する。このステップでは、ステップＡ７にてアンテナのチルト角が大きくされた後のアンテナのカバレージの劣化率とシステム全体の劣化率を計算する。【００６０】  次に、チルト角を大きくする処理の継続判定ステップ（ステップＡ９）について説明する。このステップでは、ステップＡ６、Ａ７、Ａ８の一連の処理を繰り返すか否かの判定をする。判定指標としては、ステップＡ８で得られたシステム全体の劣化率が予め決めた所定の劣化率以上であればステップＡ６、Ａ７、Ａ８の繰り返しを継続し、所定の「システム全体の劣化率」未満であればステップＡ６、Ａ７、Ａ８の繰り返しを終了して次の処理へ移る。ここで、ステップＡ９で利用する所定の劣化率は、ステップＳ５で利用する所���の劣化率と同一であっても異なっていてもよい。【００６１】  ステップＡ６、Ａ７、Ａ８による処理はステップＡ６にて選出されたアンテナの全てについて行なわれるので、「アンテナのカバレージの劣化率が所定値以上のアンテナ」または「アンテナのカバレージの劣化率において大きい順で上位いくつかのアンテナ」のチルト角を更新した後の「システム全体の劣化率」が所定値未満となるまで、ステップＡ６、Ａ７、Ａ８の処理は繰り返される。【００６２】  なお、ステップＡ９における判定指標をステップＡ６、Ａ７、Ａ８を繰り返した回数を併用するとしてもよい。ステップＡ８で得られたシステム全体の劣化率が所定の劣化率以上であっても、所定の繰り返し回数以上であれば終了とすることにより、ステップＡ６、Ａ７、Ａ８の繰り返しによる処理時間を制限することができる。【００６３】  次に、劣化率が小さくなるチルト角を出力するステップ（ステップＡ１０）について説明する。このステップでは、ステップＡ３またはステップＡ７にて各アンテナに最終的に設定されたチルト角、換言すると、これまでに各アンテナに対して設定されたチルト角の中で、システム全体の劣化率が最も小さくなるチルト角を出力する。【００６４】  次に、処理継続判定ステップ（ステップＡ１１）について説明する。このステップでは、上述のステップＡ２からＡ１０までの一連の処理を、繰り返すか否かの判定をする。判定指標としては、ステップＡ１０で出力された各アンテナのチルト角によるシステム全体の劣化率を求め、この値が所定の値以上であればステップＡ２からＡ１０の繰り返しを継続し、所定の値未満であれば終了する。ここで、ステップＡ１１で利用する所定の劣化率は、ステップＳ５で利用する所定の劣化率と同一であっても異なっていてもよい。また、ステップＡ１１で利用する所定の劣化率は、ステップＳ９で利用する所定の劣化率と同一であっても異なっていてもよい。【００６５】  なお、ステップＡ１１における判定指標をステップＡ２からＡ１０までの一連の処理を繰り返した回数を併用するとしてもよい。ステップＡ１１で得られたシステム全体の劣化率が所定の劣化率以上であっても、所定の繰り返し回数以上であれば終了とすることにより、ステップＡ２からＡ１０までの一連の処理の繰り返しによる処理時間を制限することができる。【００６６】  次に、本発明による装置の構成について、図２を参照して説明する。【００６７】  図２は、図１のフローチャートに示した処理を実行する装置の構成を示すブロック図であり、無線通信システムを構成する複数の無線基地局にそれぞれ配置された垂直面内指向性を持ったアンテナのチルト角を決定するための装置である。本装置は複数のアンテナのチルト角を決定するためのものであり、一般的なコンピュータにより実現可能なもので、その配置箇所は特に限定されない。本装置により決定されたチルト角によって各アンテナは設定されることとなるが、その設定は人手によるとしてもよく、また、各無線局に本装置の出力に応じてアンテナのチルト角を制御する角度制御装置を設け、該角度制御装置に本装置の出力を供給し、アンテナのチルト角を自動設定するものとしてもよい。【００６８】  本実施形態のチルト角決定装置は、図２に示されるように、チルト角の初期値を出力する手段５と、上記チルト角の初期値における劣化率を計算して出力する初期値のチルト角における劣化率計算手段１０と、チルト角を小さくするか大きくするかを選択、または終了の処理切替をする処理切替手段２０と、入力された劣化率に基づきチルト角を小さくするアンテナを選出するチルト角を小さくするアンテナ選出手段３０と、入力された劣化率に基づきチルト角を大きくするアンテナを選出するチルト角を大きくするアンテナ選出手段６０と、選出されたアンテナを一定の角度だけ小さくする第１のチルト角更新手段４０と、選出されたアンテナを一定の角度大きくする第２のチルト角更新手段７０と、更新後のチルト角における劣化率計算手段４５と、システム全体の劣化率の値、または劣化率の入力回数に応じて、処理切替手段２０の動作を制御する処理切替制御手段５０と、入力されるチルト角と劣化率のデータを記憶するチルト角と劣化率のデータ記憶手段８０と、チルト角と劣化率のデータ記憶手段８０の出力を受け、これを各アンテナの最適チルト角として出力する手段９０と、を有する。【００６９】  まず、チルト角の初期値を出力する手段５について説明する。この手段は、上述のステップＡ０と同様の処理をし、チルト角の初期値を出力する。【００７０】  初期値のチルト角における劣化率計算手段１０について説明する。初期値のチルト角における劣化率計算手段１０は、チルト角の初期値を出力する手段５から出力されたチルト角を入力として、そのチルト角における各アンテナのカバレージの劣化率とシステム全体の劣化率を計算する。それらの劣化率の計算方法は、ステップＡ１と同様である。そして、計算結果である上記の劣化率を出力する。出力先は、処理切替手段２０である。【００７１】  処理切替手段２０は、処理切替制御手段５０からの出力情報を入力として、入力に従い、別途入力される劣化率を、チルト角を大きくするアンテナ選出手段３０、または、チルト角を小さくするアンテナ選出手段６０へ切り替える、もしくはいずれにも出力することなく終端し、処理を終了とする。【００７２】  処理切替手段２０に別途入力される劣化率とは、初期値のチルト角における劣化率計算手段１０または更新後の劣化率計算手段４５から供給される各アンテナのカバレージの劣化率とシステム全体の劣化率との情報である。【００７３】  チルト角を小さくするアンテナ選出手段３０は、処理切替手段２０から入力される各アンテナのカバレージの劣化率を用いてチルト角を小さくするアンテナを選出し、選出したアンテナの情報を第１のチルト角更新手段４０へ供給する。評価指標に基づく選出の動作は、上述のステップＡ２と同じである。【００７４】  チルト角を大きくするアンテナ選出手段６０は、チルト角を大きくするアンテナを選出する点がチルト角を小さくするアンテナ選出手段３０とは異なる。ここで選出したアンテナの情報は、第２のチルト角更新手段７０へ供給する。【００７５】  第１のチルト角更新手段４０は、チルト角を小さくするアンテナ選出手段３０の出力情報であるアンテナ情報を入力として、選出されたアンテナのチルト角を所定の角度だけ小さくし、小さくしたチルト角の値を更新���のチルト角における劣化率計算手段４５とチルト角と劣化率のデータ記憶手段８０へ供給する。【００７６】  第２のチルト角更新手段７０は、第１のチルト角更新手段４０と、チルト角の更新方向が違う。すなわち、チルト角を大きくするアンテナ選出手段６０の出力情報であるアンテナ情報を入力として、選出されたアンテナのチルト角を所定の角度だけ大きくし、大きくしたチルト角の値を更新後のチルト角における劣化率計算手段４５とチルト角と劣化率のデータ記憶手段８０へ供給する。【００７７】  処理切替制御手段５０は、更新後のチルト角における劣化率計算手段４５からの出力である各アンテナのカバレージの劣化率とシステム全体の劣化率を入力として、システム全体の劣化率が所定の値以上であれば切り替えず、現在の処理を継続するものとし、システム全体の劣化率が所定の値未満であれば切り替えを行い、次の処理動作に移行するように処理切替手段２０へ制御信号を供給する。このとき、システム全体の劣化率と併用してシステム全体の劣化率の入力回数により切替動作を行なうこととしてもよい。すなわち、システム全体の劣化率の入力が所定の回数以上であれば切替えるように処理切替手段２０に制御信号を供給する。また、切替回数が所定の回数以上となったら処理を終了する制御信号を供給する。【００７８】  さらに、処理切替制御手段５０は、劣化率を小さくするチルト角を出力する手段９０からの出力であるシステム全体の劣化率を入力とし、そのシステム全体の劣化率が所定の値以下であれば、処理切替手段２０に処理を終了する制御信号を供給する。【００７９】  チルト角と劣化率のデータ記憶手段８０は、第１のチルト角更新手段４０と第２のチルト角更新手段７０が出力するチルト角の情報と、更新後のチルト角における劣化率計算手段４５が出力する各アンテナのカバレージの劣化率とシステム全体の劣化率とを入力とする。そして、入力されたうち、チルト角の情報とシステム全体の劣化率のデータを保存し記憶する。そして、チルト角の情報とシステム全体の劣化率の情報を劣化率を小さくするチルト角を出力する手段９０へ供給する。【００８０】  劣化率を小さくするチルト角を出力する手段９０は、チルト角と劣化率のデータ記憶手段８０から出力されるチルト角とシステム全体の劣化率のデータをシステム全体の劣化率を最も小さくする最適チルト角として出力する。また、劣化率を小さくするチルト角を出力する手段９０は、最適チルト角におけるシステム全体の劣化率の情報を、処理切替制御手段５０に供給する。【００８１】  次に、本実施形態の具体的な動作について詳述する。【００８２】  最初に、チルト角の初期値を出力する手段５は、チルト角の初期値を初期値のチルト角における劣化率計算手段１０に供給する。そして、初期値のチルト角における劣化率計算手段１０は、計算した各アンテナのカバレージの劣化率とシステム全体の劣化率を、処理切替手段２０に供給する。【００８３】  処理切替手段２０は、供給された上記の劣化率をチルト角を小さくするアンテナ選出手段３０かチルト角を大きくするアンテナ選出手段６０のいずれかに供給する。例えばチルト角を小さくするアンテナ選出手段３０に供給した場合、チルト角を小さくするアンテナ選出手段３０は、供給された各アンテナのカバレージの劣化率に基づいてアンテナを選出し、選出したアンテナの情報を第１のチルト角更新手段４０に供給する。第１のチルト角更新手段４０は、選出されたアンテナのチルト角を一定の角度だけ小さくして、そのチルト角を更新後のチルト角における劣化率計算手段４５およびチルト角と劣化率のデータ記憶手段８０へ供給する。【００８４】  更新後のチルト角における劣化率計算手段４５は、チルト角に基づき各アンテナのカバレージの劣化率とシステム全体の劣化率を計算して処理切替手段２０と処理切替制御手段５０、および、チルト角と劣化率のデータ記憶手段８０へ供給する。【００８５】  処理切替手段２０は、更新後のチルト角における劣化率計算手段４５から供給された各アンテナのカバレージとシステム全体の劣化率をチルト角を小さくするアンテナ選出手段３０へ再び供給する。この動作は切替手段２０における再供給動作は処理切替制御手段５０の制御にしたがって行われる。【００８６】  処理切替制御手段５０は、システム全体の劣化率の値、またはシステム全体の劣化率の入力回数に基づいて切替・切断器２０に切替制御信号を供給する。処理切替手段２０は、処理切替制御手段５０からの制御信号に基づき、チルト角を小さくするアンテナ選出手段３０からチルト角を大きくするアンテナ選出手段６０へと、各アンテナのカバレージの劣化率とシステム全体の劣化率を供給する先を切り替える。処理切替制御手段５０は、切替の制御信号出力が所定の回数に達した場合、処理を終了する制御信号を処理機切替２０に供給する。【００８７】  チルト角と劣化率のデータ記憶手段８０は、入力されたチルト角と各アンテナのカバレージの劣化率とシステム全体の劣化率のデータを記憶し、そのチルト角とシステム全体の劣化率を劣化率を小さくするチルト角を出力する手段９０に供給する。劣化率を小さくするチルト角を出力する手段９０は、最適チルト角を出力するほかに、そのチルト角におけるシステム全体の劣化率を出力する。そのチルト角におけるシステム全体の劣化率は処理切替制御手段５０に供給され、処理切替制御手段５０はシステム全体の劣化率が所定の値以下であれば、処理を終了する制御信号を処理切替手段２０に供給する。処理切替手段２０は処理を終了する制御信号に基づいて処理を終了する。【００８８】  次に、本発明の第１の実施の形態の作用について説明する。【００８９】  本発明の第１の実施の形態では、チルト角の初期値でのシステム全体の劣化率を計算し、さらに、チルト角を更新した変更後のチルト角でもシステム全体の劣化率を計算し、その劣化率が小さくなるチルト角を出力する。このため、初期値でのシステム全体の劣化率に比べて、システム全体の劣化率が小さくなるチルト角を得ることができる。【００９０】  また、チルト角の更新を、小さくするか大きくするかの単純な２つのステップに分け、さらにそれらのステップを繰り返す方法をとっている。そのため、コンピュータでの処理が可能で、チルト角調整を自動化するのに適している。従来のように人が伝搬環境を予想して、一度に最適化と予想されるチルト角へ更新して伝搬シミュレータにて多くのチルト角の場合を試すので���なく、本実施の形態では、少しずつ一定の角度だけ更新を繰り返すことでシステム全体の劣化率に与える影響を抑えつつ最適なチルト角へと近づけることができる。【００９１】  また、本実施の形態では、従来、人が経験的に行ってきたチルト角を更新すべきアンテナの選出を所定の評価指標を用いて実現するため、調整を行なうアンテナの選出も自動化できる。このように本実施の形態によって、チルト角の決定に要する手間と時間を大幅に減少することができる。【００９２】  また、各ステップは所定の評価指標によって動作するため、経験的な判断に基づく動作を持たない。そのため、得られた結果に一定の信頼性を持たせることができる。言い換えれば、ある無線通信システムにおいて同一の評価指標と初期パラメータを設定すれば、本発明の実施の形態によって誰でも経験によらない同一の結果を得ることができる。【００９３】  さらに、チルト角を小さくするとき、「アンテナのカバレージの劣化率が所定値以上のアンテナ」や「アンテナのカバレージの劣化率において大きい順で上位いくつかのアンテナ」を選出する。すなわち、この選出により、アンテナのカバレージの劣化率が大きいアンテナのみ、チルト角を小さくすることができる。チルト角を小さくすると、そのアンテナのカバレージ内の受信電力は大きくなる傾向があるので、そのアンテナのカバレージの劣化率は小さくなる。また、この選出では、アンテナのカバレージの劣化率が小さいアンテナは選出されない。そのため、アンテナのカバレージの劣化率が小さいアンテナはチルト角を小さくしないので、隣接するアンテナのカバレージへの干渉波電力を増やすことがなく、その劣化率を増やすことがない。こうして、各アンテナのカバレージにおいて、劣化率の大きいものを小さくし、劣化率の小さいものは、他のカバレージの劣化率を増加させないことによって、システム全体の劣化率を小さくすることができる。【００９４】  他方、チルト角を大きくするとき、「アンテナのカバレージの劣化率が所定値以下のアンテナ」や「アンテナのカバレージの劣化率において小さい順で上位いくつかのアンテナ」を選出する。すなわち、この選出により、劣化率が小さいアンテナのみ、チルト角を大きくすることができる。チルト角を大きくすると、そのアンテナのカバレージ内の受信電力は小さくなり、そのアンテナのカバレージの劣化率は大きくなる傾向があるが、劣化率が十分小さいカバレージでは、この劣化率の増加は僅かである場合が多く、一方、隣接するアンテナのカバレージへの干渉電力は小さくなるため、隣接するアンテナのカバレージの劣化率は小さくなることが多い。従って、全体としては、チルト角を大きくするアンテナのカバレージの劣化率の増加分よりも、隣接するアンテナのカバレージの劣化率の減少分の方が大きい場合が比較的多い。【００９５】  上記のようにして、チルト角決定において、多数のアンテナの中からシステム全体の劣化率を小さくするのに効果的なアンテナを選出し、チルト角を変更することで、さらにシステム全体の劣化率を小さくすることができる。【００９６】  次に、本発明の第２の実施の形態について図面を参照して詳細に説明する。【００９７】  図３は、本発明の第２の実施の形��の動作を示すフローチャートである。本実施の形態は、図１に示した第１の実施の形態の動作を示すフローチャートにおけるステップＡ１とステップＡ２との間に、全体を繰り返す処理の処理累積回数に応じてチルト角を小さくするパラメータ設定ステップ（ステップＡ１２）を加え、ステップＡ５とステップＡ６との間に、全体を繰り返す処理の処理累積回数に応じてチルト角を大きくするパラメータ設定ステップ（ステップＡ１３）とを加えたものである。【００９８】  チルト角を小さくするパラメータ設定ステップ（ステップＡ１２）は、ステップＡ１２、Ａ２、Ａ３、Ａ４、Ａ５、Ａ１３、Ａ６、Ａ７、Ａ８、Ａ９、Ａ１０、Ａ１１の一連の「全体を繰り返す処理」を繰り返した回数に応じて、チルト角を小さくするステップ（ステップＡ３）におけるチルト角更新パラメータを以下のように設定する。【００９９】  １回目の処理では、チルト角を小さくする更新毎の変化量を所定の一定角度に設定する（例えば１．０度）。２回目以降の処理では、これまでにシステム全体の劣化率が最小となったチルト角と、システム全体の劣化率が２番目に小さくなったチルト角との間に、更新の範囲を設定し、チルト角を小さくする更新毎の変化量を、前回のステップＡ１２で設定した半分の角度（例えば０．５度）に設定する。また、チルト角を小さくするステップ（ステップＡ３）は、設定されたチルト角更新パラメータに従った範囲と変化量でチルト角を小さくする。【０１００】  チルト角を大きくするパラメータ設定ステップ（ステップＡ１３）は、チルト角を小さくするステップ（ステップＡ３）と同じように、ステップＡ１２、Ａ２、Ａ３、Ａ４、Ａ５、Ａ１３、Ａ６、Ａ７、Ａ８、Ａ９、Ａ１０、Ａ１１の一連の「全体を繰り返す処理」を繰り返した回数に応じて、チルト角を大きくするステップ（ステップＡ７）におけるチルト角更新パラメータを以下のように設定する。【０１０１】  １回目の処理では、チルト角を大きくする更新毎の変化量を所定の一定角度に設定する（例えば１．０度）。２回目以降の処理では、これまでにシステム全体の劣化率が最小となったチルト角と、システム全体の劣化率が２番目に小さくなったチルト角との間に、更新の範囲を設定し、チルト角を大きくする更新毎の変化量を、前回のステップＡ１３で設定した半分の角度（例えば０．５度）に設定する。チルト角を大きくするステップ（ステップＡ７）は、設定されたチルト角更新パラメータに従った範囲と変化量でチルト角を大きくする。【０１０２】  次に、本発明の第２の実施の形態の構成について図４を参照して詳細に説明する。【０１０３】  図４は図３の処理フローが実行されるシステムの構成を示すブロック図であり、図２に示された第１の実施の形態におけるシステム構成に加えて、処理切替手段２０から出力される切替情報をカウントする切替回数カウンタ１００と、上記切替回数が一定以上となると、チルト角と劣化率のデータ記憶手段８０からの情報を用いて、チルト角更新パラメータを、第１のチルト角更新手段４０と第１のチルト角更新手段７０とに設定するチルト角更新パラメータ設定手段１１０と、を設けたものである。この他の構成は図２に示したものと同様であるため、説明は省略する��【０１０４】  切替回数カウンタ１００は、処理切替手段２０から出力される切替情報をカウントし、切替回数が所定の一定の回数以上になったら、チルト角更新パラメータ設定手段１１０へ起動の指示を供給する。【０１０５】  チルト角更新パラメータ設定手段１１０は、切替回数カウンタ１００からの起動の指示に基づき、第１のチルト角更新手段４０に対して前回に第１のチルト角更新手段４０で設定していたチルト角更新パラメータの更新チルト角（例えば１．０度）を今回は半分（０．５度）に設定する。また、チルト角更新パラメータ設定手段１１０は、チルト角と劣化率のデータ記憶手段８０から出力される過去の計算結果であるチルト角と各アンテナのカバレージの劣化率とシステム全体の劣化率とを入力として、その入力データから、これまでで最もシステム全体の劣化率を小さくするチルト角と、２番目にシステム全体の劣化率を小さくするチルト角との間にチルト角更新の範囲を設定する。【０１０６】  また同時に、チルト角更新パラメータ設定手段１１０は、切替回数カウンタ１００からの起動の指示に基づき、第２のチルト角更新手段７０に対しても同じように、前回に第２のチルト角更新手段７０で設定していたチルト角更新パラメータの更新チルト角（例えば１．０度）を今回は半分（０．５度）に設定する。また、チルト角更新パラメータ設定手段１１０は、チルト角と劣化率のデータ記憶手段８０から出力される過去の計算結果であるチルト角と各アンテナのカバレージの劣化率とシステム全体の劣化率を入力として、その入力データから、これまでで最もシステム全体の劣化率を小さくするチルト角と、２番目にシステム全体の劣化率を小さくするチルト角との間にチルト角更新の範囲を設定する。【０１０７】  上記の他の本発明の第２の実施の形態の動作は、第一の実施の形態と同じである。新たに追加される動作として、切替回数カウンタ１００が所定の切替累積回数以上の時にチルト角更新パラメータ設定手段１１０が起動する。チルト角更新パラメータ設定手段１１０が起動すると、第１のチルト角更新手段４０とチルト第２のチルト角更新手段７０とにチルト角更新パラメータを設定する。【０１０８】  本発明の第２の実施の形態の作用は、第１の実施の形態の作用に加えて、チルト角の決定を、速く正確にすることができる効果を持つ。【０１０９】  なぜなら、本発明の第２の実施の形態では、最初はチルト角の更新の角度を大きくするので、チルト角の最適値に近づけるまでの更新の回数は少なくて済むからである。すなわち、処理時間が短く、最適値に速く近づかせることができる。そして次に、更新の角度を小さくするので、更新後のチルト角と最適値との差をより小さくすることできる。すなわち、より最適値に近い正確なチルト角を得ることができる。さらに、チルト角の更新範囲を、それまでの処理で得たシステム全体の劣化率を最小とするチルト角と２番目にシステム全体の劣化率を小さくするチルト角との間とすることで、チルト角の更新範囲を限定しているため、チルト角の更新回数が少なくて済む。すなわち、処理時間が短く、速く最適値に近づけることができるからである。したがって、同じ処理時間であれば、劣化率をより小さくすることができ��。
【産業上の利用可能性】
【０１１０】  本発明は、無線通信システム全体の劣化率が小さくなるように、アンテナのチルト角を決定するために利用することができる。
【図面の簡単な説明】
【０１１１】［図１］本発明の第１の実施の形態の処理フローである。
［図２］本発明の第１の実施の形態のシステム図である。
［図３］本発明の第２の実施の形態の処理フローである。
［図４］本発明の第２の実施の形態のシステム図である。
［図５］２つのアンテナのチルト角を調整する概観を示す。
【符号の説明】
【０１１２】  ５      チルト角の初期値を出力する手段
１０    初期値のチルト角における劣化率計算手段
２０    処理切替手段
３０    チルト角を小さくするアンテナ選出手段
４０    第１のチルト角更新手段
４５    更新後のチルト角における劣化率計算手段
５０    処理切替制御手段
６０    チルト角を大きくするアンテナ選出手段
７０    第１のチルト角更新手段
８０    チルト角と劣化率のデータ記憶手段
９０    劣化率を小さくするチルト角を出力する手段
１００  切替回数カウンタ
１１０  チルト角更新パラメータ設定手段
Ａ０    チルト角の初期値設定ステップ
Ａ１    初期値での劣化率計算ステップ
Ａ２    チルト角を小さくするアンテナ選出ステップ
Ａ３    チルト角を小さくするステップ
Ａ４    劣化率を計算するステップ
Ａ５    チルト角を小さくする処理の継続判定ステップ
Ａ６    チルト角を大きくするアンテナ選出ステップ
Ａ７    チルト角を大きくするステップ
Ａ８    劣化率を計算するステップ
Ａ９    チルト角を大きくする処理の継続判定ステップ
Ａ１０  劣化率が小さくなるチルト角を出力するステップ
Ａ１１  処理継続判定ステップ
Ａ１２  チルト角を小さくするパラメータ設定ステップ
Ａ１３  チルト角を大きくするパラメータ設定ステップ
【図１】
2005013632.tif 000003
【図２】
2005013632.tif 000004
【図３】
2005013632.tif 000005
【図４】
2005013632.tif 000006
【図５】
2005013632.tif 000007
【国際調査報告】
2005013632.tif 000008
2005013632.tif 000009
2005013632.tif 000010
2005013632.tif 000011